(57)【要約】【課題】着用者が前傾姿勢をとりやすく、動きやすいつなぎ服を提供する。【課題を解決するための手段】上衣２と下衣３とがつながったつなぎ服において、背側の腰被覆部における所定区画Ｓを高伸長性生地で切り替え、低伸長性生地に複数本のプリーツ５を水平方向に設けて蛇腹状に形成した蛇腹素材６で所定区画Ｓの表側を覆い、所定区画Ｓが上下方向に伸縮できるようにした。所定区画Ｓの下縁は、ウエストラインＬよりも０．５〜８ｃｍ上方となる位置に配すると好ましい。【選択図】図３
0003135570.tif 000002
【実用新案登録請求の範囲】
【請求項１】
上衣と下衣とがつながったつなぎ服において、背側の腰被覆部における所定区画を高伸長性生地で切り替え、低伸長性生地に複数本のプリーツを水平方向に設けて蛇腹状に形成した蛇腹素材で前記所定区画の表側を覆い、前記所定区画が上下方向に伸縮できるようにしたことを特徴とするつなぎ服。
【請求項２】
前記所定区画の下縁がウエストラインよりも０．５〜８ｃｍ上方となる位置に配された請求項１記載のつなぎ服。
【請求項３】
ウエストサイズ調節ベルトを通すためのベルト挿入部を前記ウエストラインに沿って設け、ウエストサイズ調節ベルトの端部に設けた固着部の前記ウエストラインに対する固着位置を変更することにより、ウエストサイズを調節することができるようにした請求項１又は２記載のつなぎ服。
【考案の詳細な説明】
【技術分野】
【０００１】
本考案は、上衣と下衣のつながったつなぎ服に関する。
【背景技術】
【０００２】
従来より市販されている作業服は、低伸長性の布を使用して製造されたものが殆どである。低伸長性の布は、安価で丈夫なものが多く、作業服をはじめ、各種の衣類に広く用いられている。しかし、低伸長性の布で形成された作業服は、着用者の動きに追従しにくいために、動きやすさという点では課題の多いものとなっていた。
【０００３】
このような実状に鑑みてか、例えば、特許文献１には、膝被覆部（着用者の膝を覆う部分）を、伸長性に優れた裏当て布と、非伸長性の低い素材をひだ状に形成した表地とで構成したつなぎ服が提案されている。これにより、膝被服部の丈夫さを損なうことなく、膝被服部に伸長性を付与することが可能になる旨が記載されている。ところが、このつなぎ服は、伸長性の高い部分が膝被覆部だけであり、やはり動きやすさという点では多くの課題を残していた。
【０００４】
とくに、上衣と下衣のつながったつなぎ服においては、上衣と下衣のつながった背中側の部分が着用者の腰の動きを阻害して、着用者が前傾姿勢をとりにくくなるという欠点があった。前傾姿勢は、座る動作や起立する動作など、多くの動作で必要とされる基本的な姿勢であるために、この姿勢がとりにくいと、あらゆる作業に支障がでるおそれがある。
【０００５】
【特許文献１】実登第３０５６４９６号公報
【考案の開示】
【考案が解決しようとする課題】
【０００６】
本考案は、上記課題を解決するためになされたものであり、着用者が前傾姿勢をとりやすく、動きやすいつなぎ服を提供することを目的とする。
【課題を解決するための手段】
【０００７】
上記課題は、上衣と下衣とがつながったつなぎ服において、背側の腰被覆部における所定区画を高伸長性生地で切り替え、低伸長性生地に複数本のプリーツを水平方向（つなぎ服の着用者が水平な地面に直立した場合に水平となる方向）に設けて蛇腹状に形成した蛇腹素材で前記所定区画の表側を覆い、前記所定区画が上下方向に伸縮できるようにしたことを特徴とするつなぎ服を提供することによって解決される。
【０００８】
ここで、高伸長性生地とは、伸長性の高い生地のことをいい、より具体的には、ＪＩＳＬ１０９６「一般織物試験方法」に規定されているＢ法（定荷重法）に準拠して測定した上下方向（つなぎ服の着用者の背骨に沿う方向）での伸長率が５０％以上の生地のことをいう。また、低伸長性生地とは、伸長性の低い生地のことをいい、より具体的には、ＪＩＳＬ１０９６「一般織物試験方法」に規定されているＢ法（定荷重法）に準拠して測定した伸長率が５０％未満の生地のことをいう。
【０００９】
これにより、つなぎ服における着用者の腰を覆う腰被覆部に伸長性を付与することが可能になり、つなぎ服の着用者が前傾姿勢をとりやすくすることが可能になる。したがって、動きやすく各種作業を行いやすいつなぎ服を提供することが可能になる。
【００１０】
本考案のつなぎ服において、前記所定区画を設ける位置は、背側の腰被覆部であればとくに限定されないが、通常、前記所定区画の下縁がウエストラインよりも０．５〜８ｃｍ上方となる位置に配する。ここで、ウエストラインとは、つなぎ服における上衣部分と下衣部分との境界となる部分をいう。
【００１１】
このように、前記所定区画をウエストラインよりもやや上方に設けることによって、着用者が前傾姿勢をとった際にもっとも引っ張られやすい箇所に伸縮性を付与することが可能になる。したがって、つなぎ服を着用者がさらに前傾姿勢をとりやすいものとすることが可能になる。また、後述するように、ベルト挿入部を前記所定区画と重ならないようにウエストラインに沿って設けることも可能になり、つなぎ服のウエストサイズを調節可能にするなど、つなぎ服をより高機能なものとすることもできるようになる。
【００１２】
また、本発明のつなぎ服において、ウエストサイズ調節ベルトを通すためのベルト挿入部を前記ウエストラインに沿って設け、ウエストサイズ調節ベルトの端部に設けた固着部の前記ウエストラインに対する固着位置を変更することにより、ウエストサイズを調節することができるようにすることも好ましい。
【００１３】
これにより、着用者の体形に合わせてつなぎ服のウエストサイズを調節することが可能になる。したがって、つなぎ服を着用者の腰の部分で固定することもできるので、つなぎ服の重みが着用者の身体に局所的にかからないようすることも可能になる。したがって、サイズの合った上衣（上着）と下衣（ズボン）とを別個に着用してベルトを締めた場合と同じ感覚でつなぎ服を着用することができるようになる。従来のつなぎ服は、それ全体の重みが着用者の肩や首に重点的にかかりやすかったために、着用者が肩のこりを感じたり、窮屈感を感じたりしやすかった。
【考案の効果】
【００１４】
以上のように、本考案によって、着用者が前傾姿勢をとりやすく、動きやすいつなぎ服を提供することが可能になる。
【考案を実施するための最良の形態】
【００１５】
本考案のつなぎ服の好適な実施態様について、図面を用いてより具体的に説明する。図１は、本考案のつなぎ服の好適な実施態様を示した正面図である。図２は、本考案のつなぎ服の好適な実施態様を示した背面図である。図３は、図２に示したつなぎ服１における腰被覆部の周辺を拡大した拡大図である。図４は、本考案のつなぎ服における蛇腹状に形成した所定区画を鉛直面で切断した状態を示した断面図である。
【００１６】
１．つなぎ服の概要
本実施態様のつなぎ服１は、図１と図２に示すように、上下一体に縫製された上衣２と下衣３とで形成されている。このつなぎ服１は、その背側の腰被覆部における所定区画Ｓ（図２を参照）を除いた部分の実質的に全体が、丈夫で破れにくい、低伸長性生地で形成されている。
【００１７】
つなぎ服１の背側の腰被覆部における所定区画Ｓは、図４に示すように、伸長性の高い高伸長性生地で形成された裏地４と、伸長性の低い低伸長性生地に複数本のプリーツ５を水平方向に設けて蛇腹状に形成した蛇腹素材６（表地）とで構成されている。このため、つなぎ服１は、背側の腰被覆部における所定区画Ｓが上下方向に伸縮できるようになっており、着用者が前傾姿勢をとりやすいものとなっている。
【００１８】
このとき、蛇腹素材６は、裏地４に対して少なくともその周縁部のみが縫着されていればよいが、図４に示すように、蛇腹素材６をそのプリーツ５の谷間ごとに縫着すると好ましい。これにより、裏地４に形成されたプリーツ５の形態を蛇腹状に保ちやすくすることが可能になる。
【００１９】
２．高伸長性素材
高伸長性生地として用いる生地の種類は、伸長性の高いものであればとくに限定されない。このような生地としては、パワーネットや、サテンネット（ストレッチサテン）や、ストレッチレースなどが例示される。本実施態様のつなぎ服においては高伸長性生地としてパワーネットを採用している。
【００２０】
高伸長性生地の上下方向（つなぎ服の着用者の背骨に沿う方向）での伸長率（ＪＩＳＬ１０９６「一般織物試験方法」に規定されているＢ法（定荷重法）に準拠して測定した伸長率のこと。以下同じ。）は、５０％以上であればとくに限定されない。しかし、つなぎ服における腰被覆部をより伸長性の高いものとするためには、高伸長性生地の上下方向での伸長率は、７０％以上とすると好ましい。高伸長性生地の上下方向での伸長率は、９０％以上であるとより好ましく、１００％以上であるとさらに好ましい。
【００２１】
一方、高伸長性生地の伸長率が高くなりすぎると、高伸長性生地の寸法安定性が低下するだけでなく、高伸長性生地が破れやすくなるおそれもある。このため、高伸長性生地の上下方向での伸長率は、通常、３００％以下とされる。高伸長性生地の上下方向での伸長率は、２５０％以下であると好ましく、２００％以下であるとより好ましい。
【００２２】
３．低伸長性素材
低伸長性生地として用いる生地の種類は、伸長性の低いものであればとくに限定されない。このような生地としては、綾織生地や平織生地などが例示される。本実施態様のつなぎ服においては低伸長性生地として綾織生地を採用している。
【００２３】
低伸長性生地の上下方向（つなぎ服の着用者の背骨に沿う方向）での伸長率は、５０％未満であればとくに限定されない。しかし、つなぎ服における腰被覆部をより破れにくくするためには、低伸長性生地の上下方向での伸長率は、４０％以下とすると好ましい。低伸長性生地の上下方向での伸長率は、３０％以下であるとより好ましく、２０％以下であるとさらに好ましい。一方、低伸長性生地の上下方向での伸長率は、通常、１％以上である。
【００２４】
４．所定区画
蛇腹素材６で覆う所定区画Ｓの形状は、とくに限定されないが、通常、縫製の容易性や生地の歩留まりなどを考慮して矩形とされる。本実施態様のつなぎ服１においても、図３に示すように、所定区画Ｓは矩形に形成しており、その長辺が水平方向となり、その短辺が上下方向となるように配している。
【００２５】
所定区画Ｓの寸法も、所定区画Ｓの形状やつなぎ服１のサイズなどによっても異なり、とくに限定されない。しかし、所定区画Ｓが小さすぎると、つなぎ服１の腰被覆部に伸縮性をあまり付与できなくなるおそれがある。このため、つなぎ服１が成人男性を対象としたサイズのものであり、所定区画Ｓが矩形である場合には、所定区画Ｓの上下方向の幅は、通常、１ｃｍ以上とされ、所定区画Ｓの水平方向の幅は、通常、１０ｃｍ以上とされる。所定区画Ｓの上下方向の幅は、２ｃｍ以上であると好ましく、３ｃｍ以上であるとより好ましい。また、所定区画Ｓの左右方向の幅は、１５ｃｍ以上であると好ましく、２０ｃｍ以上であると好ましい。
【００２６】
一方、所定区画Ｓが大きすぎると、つなぎ服１の寸法安定性が低下するおそれがあるばかりか、必要な生地の面積が広くなるだけで際立った効果が得られなくなる。このため、つなぎ服１が成人男性を対象としたサイズのものであり、所定区画Ｓが矩形である場合には、所定区画Ｓの上下方向の幅は、通常、２０ｃｍ以下とされ、所定区画Ｓの水平方向の幅は、通常、６０ｃｍ以下とされる。所定区画Ｓの上下方向の幅は、１５ｃｍ以下であると好ましく、１０ｃｍ以下であるとより好ましい。また、所定区画Ｓの水平方向の幅は、５０ｃｍ以下であると好ましく、４０ｃｍ以下であるとより好ましい。本実施態様のつなぎ服１において、所定区画Ｓの上下方向の幅は約５ｃｍとなっており、所定区画Ｓの水平方向の幅は約３０ｃｍとなっている。
【００２７】
蛇腹素材６で覆う所定区画Ｓの配置は、つなぎ服１における背側の腰被覆部であればとくに限定されない。しかし、所定区画ＳがウエストラインＬに重なると、後述するベルト挿入部８をウエストラインＬに沿って設けにくくなるおそれがある。このため、所定区画Ｓの下縁は、通常、ウエストラインＬよりも０．５ｃｍ以上上方となる位置に配される。所定区画Ｓの下縁は、ウエストラインＬよりも１ｃｍ以上上方であると好ましく、１．５ｃｍ以上上方であるとより好ましい。
【００２８】
一方、所定区画Ｓの下縁をウエストラインＬから上方にしすぎると、つなぎ服１の腰被覆部に伸縮性を付与することができなくなる。このため、ウエストラインＬから所定区画Ｓの下縁までの距離は、通常、８ｃｍ以下とされる。ウエストラインＬから所定区画Ｓの下縁までの距離は、５ｃｍ以下であると好ましく、４ｃｍ以下であるとより好ましい。本実施態様のつなぎ服１において、ウエストラインＬから所定区画Ｓの下縁までの距離は、約２．５ｃｍとなっている。
【００２９】
５．ウエストサイズ調節ベルト
本実施態様のつなぎ服１においては、図２に示すように、ウエストサイズ調節ベルト７を通すためのベルト挿入部８をウエストラインＬに沿って設けている。ウエストサイズ調節ベルト７の両端部には固着部を設けており、該固着部のウエストラインＬに対する固着位置を変更することにより、ウエストサイズを調節することができるようになっている。本実施態様においては、ウエストサイズ調節ベルト７の中央部をつなぎ服１に対して固定しており、ウエストサイズ調節ベルト７がベルト挿入部８から抜け出ることがないようになっている。
【００３０】
ベルト挿入部８を設ける場所は、つなぎ服１の腹側であってもよいが、つなぎ服１の背側に設けると好ましい。これにより、ウエストサイズ調節ベルト７を調節しやすくすることができるようになる。本実施態様のつなぎ服１においても、ベルト挿入部８は、つなぎ服１の背側のウエストラインＬに沿って設けている。
【００３１】
ところで、ウエストサイズ調節ベルト７の端部に設けた固着部は、つなぎ服１の所定箇所に固着できるものであればとくに限定されないが、面ファスナを用いると好ましい。これにより、つなぎ服のウエストの長さ調節を容易に行うことが可能になる。また、面ファスナは、雄側に対する雌側の固定位置、又は、雌側に対する雄側の固定位置を連続的に変化させることができるので、つなぎ服のウエストの長さの微妙な調節をも可能にする。
本実施態様のつなぎ服１においては、ウエストサイズ調節ベルト７の両端部に面ファスナの雄側を設け、つなぎ服１におけるベルト挿入部８の両端から脇腹部分にわたるまでの所定範囲に面ファスナの雌側を設けている。
【図面の簡単な説明】
【００３２】
【図１】本考案のつなぎ服の好適な実施態様を示した正面図である。
【図２】本考案のつなぎ服の好適な実施態様を示した背面図である。
【図３】図３は、図２に示したつなぎ服における腰被覆部の周辺を拡大した拡大図である。
【図４】本考案のつなぎ服における蛇腹状に形成した所定区画を鉛直面で切断した状態を示した断面図である。
【符号の説明】
【００３３】
１  つなぎ服
２  上衣
３  下衣
４  裏地
５  プリーツ
６  蛇腹素材（表地）
７  ウエストサイズ調節ベルト
８  ベルト挿入部
Ｌ  ウエストライン
Ｓ  所定区画
【図１】
0003135570.tif 000003
【図２】
0003135570.tif 000004
【図３】
0003135570.tif 000005
【図４】
0003135570.tif 000006